(57)【要約】      （修正有）【課題】カップケーキ等のケーキを手に持って片手で食べることを可能としたケーキ、及び当該ケーキを収容するための逆錐状容器や、多重容器を提供する。【解決手段】ケーキ１００は、逆錐状容器２０内に生地を流し込み、焼き上げたものである。逆錐状容器２０は、逆錐状に形成された容器部２２と、容器部２２の天面を閉塞する蓋部２４とを有する。蓋部２４は、容器部２２をなす側面２８ａ，２８ｂの上端部に設けられた折曲片３４ａ，３４ｂを内側に折り曲げて係合させることにより、容器部２２の天面を閉じることができる。【選択図】図３
0003180592.tif 000002
【実用新案登録請求の範囲】
【請求項１】
一枚のシート状素材で形成された、底部に頂点を有し側面によって囲まれた逆錐状の容器部と、前記容器部の天面を開閉可能とする蓋部と、を有し、
切込部を有する少なくとも２つの折曲片が前記側面の上端部に折り曲げ可能に設けられており、内側に折り曲げられた前記少なくとも２つの折曲片が前記切込部において相互に係合して前記蓋部を形成すること、
を特徴とする逆錐状容器。
【請求項２】
前記少なくとも２つの折曲片の端部が曲線状であること、を特徴とする請求項１に記載の逆錐状容器。
【請求項３】
前記容器部が逆三角錐状に形成されており、前記容器部をなす三面の側面のうちの二面の上端部に、前期切込部を有する前記折曲片が折り曲げ可能に設けられていること、
を特徴とする請求項１又は２に記載の逆錐状容器。
【請求項４】
前記請求項１〜３のいずれかに記載の逆錐状容器複数個と、
シート状の素材を用いて逆錐状に形成された外装容器と、
を有し、
前記外装容器が、前記逆錐状容器と相似形であって、前記逆錐状容器を逆錐状に並べて収容していること、
を特徴とする多重容器。
【請求項５】
保冷剤を収容可能な保冷剤収容容器を有し、
前記保冷剤収容容器が、前記外装容器内において前記逆錐状容器を逆錐状に並べることにより形成される隙間に沿う形状に形成されており、前記隙間に収容されていること、
を特徴とする請求項４に記載の多重容器。
【考案の詳細な説明】
【技術分野】
【０００１】
本考案は、ケーキ等を収容するための逆錐状容器及び逆錐状容器を外装容器内に収容した多重容器に関する。
【背景技術】
【０００２】
従来、下記特許文献１に開示されているように、薄い紙又は箔を材料として製造されたカップに、スポンジケーキやパウンドケーキなどの生地を詰めて焼成した、いわゆるカップケーキが提供されている。従来公知のカップケーキ用のカップは、円錘台形、角錘台形等の形状とされている。
【先行技術文献】
【特許文献】
【０００３】
【特許文献１】特開平７−０５３０４６号公報
【考案の概要】
【考案が解決しようとする課題】
【０００４】
しかしながら、上記特許文献１に開示されているような従来技術のカップケーキは、手に持って片手で食べることができるような工夫がなされていない。そのため、従来技術のカップケーキは、歩きながら食べるといった楽しみ方ができないという問題がある。また、従来技術のカップケーキ用のカップは、円錘台形、角錘台形等の単純な形状を有しているに過ぎず、購買意欲を促進するような意匠性の面において優れたものではなかった。
【０００５】
また、従来技術においては、多数のカップケーキをまとめて一度に持ち運ぶための工夫がなされていない。すなわち、従来技術においては、多数のカップケーキを纏めて持ち運ぶためのケース等が提供されていない。
【０００６】
そこで、本考案は、カップケーキ等のケーキを手に持って片手で食べることを可能としたケーキ、及び当該ケーキを収容するための逆錐状容器や、多重容器の提供を目的とする。
【課題を解決するための手段】
【０００７】
上述した課題を解決すべく提供される本考案は、一枚のシート状素材で形成された、底部に頂点を有し側面によって囲まれた逆錐状の容器部と、前記容器部の天面を開閉可能とする蓋部と、を有し、切込部を有する少なくとも２つの折曲片が前記側面の上端部に折り曲げ可能に設けられており、内側に折り曲げられた前記少なくとも２つの折曲片が前記切込部において相互に係合して前記蓋部を形成すること、を特徴とする逆錐状容器である。
換言すると、本考案は、シート状の素材を用いて逆錐状に形成された逆錐状容器であって、底部に頂点を有し側面によって囲まれた逆錐状の容器部と、前記容器部の天面を開閉可能とする蓋部と、を有し、前記側面の上端部に、折曲片が折り曲げ可能に形成されており、前記折曲片を内側に折り曲げ、相互に係合させることにより前記蓋部を形成可能であること、を特徴とする逆錐状容器である。
【０００８】
上記本考案の逆錐状容器では、前記折曲片のうち、少なくとも一つに切込部が形成されており、前記切込部に、他の折曲片を差し込んで係合させることにより、前記蓋部を封止可能であること、を特徴とするものであることが望ましい。
【０００９】
上記本考案の逆錐状容器は、前記容器部が、前記シート状の素材を重複させ、重複部分を貼り合わせることにより形成された貼合部を有し、前記貼合部を剥がすことにより、前記容器部を展開可能であること、を特徴とするものとすることが望ましい。
【００１０】
上記本考案の逆錐状容器においては、前記容器部が逆三角錐状に形成されており、前記容器部をなす三面の側面のうちの二面の上端部に、切込部を有する折曲片が折り曲げ可能に設けられていること、が好ましい。
換言すると、前記容器部が、三角錐状に形成されており、前記容器部をなす三面の側面のうち、二面に連続するように形成された各折曲片が、切込部を有しており、前記切込部が設けられた前記切込部同士を係合させることにより、前記蓋部を封止可能であること、を特徴とするものであることが望ましい。
【００１１】
上記本考案の逆錐状容器は、通気性及び透湿性を有する素材によって形成されていること、を特徴とするものであることが望ましい。
【００１２】
本考案の多重容器は、上記本考案の逆錐状容器複数個と、シート状の素材を用いて逆錐状に形成された外装容器と、を有し、前記外装容器が、前記逆錐状容器と相似形であって、前記逆錐状容器を逆錐状に並べて収容していること、を特徴とするものである。
【００１３】
この本考案の多重容器は、保冷剤を収容可能な保冷剤収容容器を有し、前記保冷剤収容容器が、前記外装容器内において前記逆錐状容器を逆錐状に並べることにより形成される隙間に沿う形状に形成されており、前記隙間に収容されていること、が好ましい。
【００１４】
本考案は、上記本考案の逆錐状容器を用いて製造したケーキにも関し、当該本考案のケーキは、上述した本考案の逆錐状容器内に生地を流し込んで焼き上げたこと、を特徴とするものである。
【考案の効果】
【００１５】
上記本考案の逆錐状容器は、逆錐状に形成された容器部を有するため、容器部内に生地を流し込んで焼成することにより、手に持って片手で食べることが可能なケーキを作ることができる。また、本考案の逆錐状容器は、容器部をなす側面の上端部に設けられた折曲片を内側に折り曲げて係合させることにより蓋部を形成し、容器部の天面を閉じることができる。そのため、容器部内に形成されたケーキを蓋部によって保護しつつ、持ち運ぶことが可能となる。
【００１６】
上記本考案の逆錐状容器は、前記折曲片のうち、少なくとも一つに切込部が形成されており、前記切込部に、他の折曲片を差し込んで係合させることにより、前記蓋部を封止可能である。そのため、切込部に他の折曲片を差し込んで係合させることにより折曲片同士を係合させ、蓋部が開かないように封止することができる。また、本考案の逆錐状容器は、折曲片同士の係合を解くことにより蓋部を開くことが可能であり、ハサミ等を必要としない。そのため、外出先や街中のように、ハサミ等を持ち合わせていない状況下においても、簡単に開封してケーキを食することが可能となる。
【００１７】
上記本考案の逆錐状容器は、容器部が、前記シート状の素材を重複させ、重複部分を貼り合わせることにより形成された貼合部を有し、前記貼合部を剥がすことにより、前記容器部を展開可能とされている。これにより、容器部を展開して内部に形成されたケーキを容易に食することが可能となる。
【００１８】
本考案の逆錐状容器は、容器部が三角錐状に形成されていることから手に馴染みやすく、しっかりと持ちやすい。また、容器部をなす側面のうち二面に連続するように形成された各折曲片に切込部が設けられており、この切込部同士を係合させることにより蓋部を確実に封止することができる。従って、本考案の逆錐状容器は、ケーキを持ち運びつつ食するのに最適である。
【００１９】
本考案の逆錐状容器は、通気性及び透湿性を有する紙等の素材によって形成されている。これにより、ケーキの生地を容器部に入れて焼成する際に発生する水分や空気が逆錐状容器の内側から外側に向けて抜ける。そのため、本考案の逆錐状容器によれば、ケーキを上手く焼き上げることが可能となる。
【００２０】
本考案の多重容器は、シート状の素材を用いて逆錐状容器と相似形に形成された外装容器の内側に、逆錐状容器を逆錐状に並べて収容することが可能であるため、多数のカップケーキをまとめて一度に持ち運ぶことができる。また、外観をなす外装容器と、内部に収容される逆錐状容器とが相似形であるため、形状の統一感があり、意匠性の面においても優れている。
【００２１】
本考案の多重容器は、保冷剤を収容可能な保冷剤収容容器が、外装容器内において逆錐状容器を逆錐状に並べることにより形成される隙間に沿う形状に形成されている。そのため、外装容器内に収容された逆錐状容器同士の隙間を保冷剤収容容器によって埋めて安定性を向上させると共に、逆錐状容器に形成されたケーキを保冷剤によって保冷することが可能となる。これにより、運搬に伴って逆錐状容器が傾く等するのを防止しつつ、ケーキの品質保持を図ることが可能となる。
【００２２】
本考案のケーキは、上述した本考案の逆錐状容器内に生地を流し込んで焼き上げたものであるため、手に持って片手で食べることが可能である。また、本考案のケーキは、逆錐状容器に設けられた折曲片を内側に折り曲げて係合させて蓋部を封止することにより、容器部内に形成されたケーキを保護しつつ、持ち運ぶことが可能となる。
【図面の簡単な説明】
【００２３】
【図１】本発明の一実施形態に係る多重容器の外装容器を開いた状態を示す斜視図である。
【図２】図１に示した多重容器の構造を示す分解斜視図である。
【図３】本発明の一実施形態に係る逆錐状容器の蓋部を閉じた状態を示す斜視図である。
【図４】図３に示した逆錐状容器の蓋部を開いた状態を示す斜視図である。
【図５】逆錐状容器及び外装容器の展開図である。
【考案を実施するための形態】
【００２４】
以下、本考案の一実施形態に係る多重容器１０及び逆錐状容器２０と、逆錐状容器２０を用いて形成されるケーキ１００について図面を参照しつつ詳細に説明する。図１及び図２に示すように、多重容器１０は、逆錐状容器２０を多数、保冷剤収容容器４０と共に外装容器５０内に収容した構成とされている。
【００２５】
逆錐状容器２０は、図５の展開図に示すような形状とされた一枚のシート状素材（シート材２１）を折り曲げ加工することにより逆錐状に形成されたケーキ１００用の容器である。本実施形態では、図３及び図４に示すように、逆錐状容器２０は、略三角錐（略正四面体）状の外観形状とされている。逆錐状容器２０は、通気性及び透湿性を有するシート状素材によって形成されている。本実施形態では、逆錐状容器２０は、ボール紙等の紙製の容器とされている。
【００２６】
逆錐状容器２０は、容器部２２と、蓋部２４とに大別される。容器部２２は、底部に頂点２６を有し、側面２８によって囲まれた逆錐状の外観形状を有する部分である。本実施形態では、容器部２２は、三角錐（略正四面体）状とされており、三面の側面２８（側面２８ａ，２８ｂ，２８ｃ）によって周囲が取り囲まれている。容器部２２の内側には、ケーキ１００用の生地を流し込むための空間３０が形成されている。
【００２７】
逆錐状容器２０の外周部には、逆錐状容器２０をなすシート材２１の端部を貼り合わせることにより貼合部３２が形成されている。具体的には、シート材２１には、容器部２２をなす側面２８ａ，２８ｂ，２８ｃに相当するエリアが設けられており、側面２８ａ，２８ｂ用のエリアの境界、及び側面２８ａ，２８ｃ用のエリアの境界に折り曲げ線２８ｄ，２８ｅが形成されている。これらの折り曲げ線２８ｄ，２８ｅにおいてシート材２１を折り曲げると、容器部２２の稜線が形成される（図３参照）。また、側面２８ｃ用のエリアに隣接する位置には、折り曲げ線２８ｆを介して貼合代２８ｊが設けられている。折り曲げ線２８ｆにおいて２１を折り曲げると、容器部２２の稜線が形成され、貼合代２８ｊが側面２８ｃの表面に重なる（図３参照）。貼合代２８ｊと側面２８ｃの重複部分を糊や接着剤によって貼り合わせることにより貼合部３２が形成されている。また、貼合部３２を剥がすことにより、容器部２２を展開することができる。
【００２８】
図３に示すように、蓋部２４は、容器部２２の天面側に形成される開口部分を開閉するためのものである。図４に示すように、蓋部２４は、容器部２２をなす側面２８ａ〜２８ｃの上端部に、折り曲げ線２８ｇ，２８ｈ，２８ｉを介して折り曲げ可能に連続して設けられ、端部が曲線部を有する花びら様の折曲片３４ａ，３４ｂ，３４ｃによって構成されている。図４において矢印で示すように、蓋部２４は、折曲片３４ａ〜３４ｃをそれぞれ内側（容器部２２の開口領域側）に折り曲げて係合させることにより容器部２２の天面の開口部分を封止可能とされている（図３参照）。
【００２９】
具体的には、図３に示すように、折曲片３４ａ〜３４ｃのうち二つ（折曲片３４ａ，３４ｂ）に切込部３６ａ，３６ｂが形成されている。本実施形態では、折曲片３４ａ，３４ｂにおいて折り曲げ線２８ｇ，２８ｈとは反対側（自由端側）の辺を連続する二つの円弧の間に谷が形成されたような形状とし、谷の部分が切込部３６ａ，３６ｂとなっている。折曲片３４ａ，３４ｂを内側に折り曲げると、切込部３６ａ，３６ｂが上記の谷の部分で互いに噛み合うと共に、二つの円弧状部分が上下に重なった状態になる。また残りの折曲片３４ｃは、折り曲げ線２８ｇ，２８ｈとは反対側（自由端側）の辺が円弧状に形成されている。従って、先ず折曲片３４ｃを内側に折り曲げ、その後に折曲片３４ａ，３４ｂを内側に折り返して切込部３６ａ，３６ｂを係合させることにより、容器部２２の天面の開口部分が蓋部２４によって封止された状態になる。このように美観に優れた蓋部２４が形成される。
【００３０】
次に、本実施形態の外装容器５０は、図１及び図２に示すように、ボール紙等のシート状の素材５１を折り曲げ加工することにより逆錐状に形成された逆錐状容器２０を多数収容するための容器である。外装容器５０は、上述した逆錐状容器２０と相似かつ同一の構造とされている。すなわち、外装容器５０は、略三角錐（略正四面体）状の外観形状とされている。
【００３１】
外装容器５０は、逆錐状容器２０と同様に、容器部５２と、蓋部５４とに大別される。容器部５２は逆錐状容器２０の容器部２２と同一の構造を有し、蓋部５４は逆錐状容器２０の蓋部２４と同一の構造を有する。図２に示すように、容器部５２は、逆錐状容器２０を逆錐状に並べて収容可能とされている。すなわち、容器部５２の頂点５６側（下段側）に逆錐状容器２０を一つ収容し、その上方（上段側）に逆錐状容器２０を四つ収容することができる。上段側に配置される四つの逆錐状容器２０のうち三つは、容器部５２内の三隅に天面側（蓋部２４側）を上方に向けて収容される。また残りの一つは、上段側の三隅に配置された三つの逆錐状容器２０の中央部に形成された空間内に嵌め込まれる。
【００３２】
外装容器５０の蓋部５４は、逆錐状容器２０の蓋部２４と同様に、容器部５２の天面側に形成される開口部分を開閉するためのものであり、容器部５２をなす側面５８ａ〜５８ｃの上端部に連続するように形成された折曲片５４ａ，５４ｂ，５４ｃによって構成されている。折曲片５４ａ〜５４ｃは、それぞれ折曲片３４ａ〜３４ｃと同様の構成であり、折曲片５４ｃを内側に折り返すと共に、折曲片５４ａ，５４ｂを内側に折り返し、これらに形成された切込部５６ａ，５６ｂを噛み合わせることにより容器部５２の天面を蓋部２４によって封止された状態とすることができる。
【００３３】
図２に示すように、上述したようにして外装容器５０内に逆錐状容器２０を収容した状態において、逆錐状容器２０，２０間に形成される空間には、保冷剤収容容器４０が嵌め込まれる。保冷剤収容容器４０は、保冷剤を収容可能な紙製の容器であり、外装容器５０内において逆錐状容器２０を逆錐状に並べることにより形成される隙間に沿う形状とされている。
【００３４】
次に、本実施形態のケーキ１００は、図３に示すように、上述した逆錐状容器２０の容器部２２内に生地を流し込み、焼き上げて製造される。容器部２２に生地を流し込んで焼くと、その製造過程において発生する水分や空気が逆錐状容器２０をなすボール紙を通じて外部に放出され、ムラなく均一に焼き上がる。このようにして焼き上げることにより、ケーキ１００が容器部２２と一体的に形成される。
【００３５】
上述したように、本実施形態の逆錐状容器２０は、逆錐状に形成された容器部２２を有する。そのため、容器部２２内に生地を流し込んで焼成することにより、手に持って片手で食べることが可能なケーキ１００を作ることができる。また、本実施形態の逆錐状容器２０は、容器部２２をなす側面の上端部に設けられた折曲片３４ａ，３４ｂ，３４ｃを内側に折り曲げると共に、折曲片３４ａ，３４ｂを係合させることにより蓋部２４を形成し、容器部２２の天面を閉じることができる。そのため、容器部２２内に形成されたケーキ１００を蓋部２４によって保護しつつ、持ち運ぶことが可能となる。
【００３６】
本実施形態の逆錐状容器２０は、折曲片３４ａ，３４ｂに切込部３６ａ，３６ｂが形成されており、切込部３６ａ，３６ｂにおいて折曲片３４ａ，３４ｂを互いに差し込んで係合させることにより、蓋部２４を封止可能である。また、本実施形態の逆錐状容器２０は、折曲片３４ａ，３４ｂ同士の係合を解くことにより蓋部２４を開くことが可能であり、ハサミ等を必要としない。そのため、外出先や街中のように、ハサミ等を持ち合わせていない状況下においても、簡単に開封してケーキ１００を食することが可能となる。
【００３７】
本実施形態では、二つの折曲片３４ａ，３４ｂに切込部３６ａ，３６ｂを設けた構成を例示したが、本発明はこれに限定されるものではなく、折曲片３４ａ〜３４ｃのいずれか一つに切込部を設け、これに他の折曲片を係合させるようにしても良い。
【００３８】
本実施形態の逆錐状容器２０は、容器部２２が、シート状の素材を重複させ、重複部分を貼り合わせることにより形成された貼合部３２を有し、貼合部３２を剥がすことにより、容器部２２を展開可能とされている。これにより、容器部２２を展開して内部に形成されたケーキ１００を容易に食することが可能となる。なお、本実施形態では、容器部２２を展開しやすくするように貼合部３２が外側に露出するように形成した例を示したが、本発明はこれに限定されるものではなく貼合部３２が容器部２２の内側に形成されるようにしても良い。
【００３９】
本実施形態の逆錐状容器２０は、容器部２２が三角錐状に形成されていることから手に馴染みやすく、しっかりと持ちやすい。また、容器部２２をなす側面のうち二面に連続するように形成された各折曲片３４ａ，３４ｂに切込部３６ａ，３６ｂが設けられており、この切込部３６ａ，３６ｂ同士を係合させることにより蓋部２４を確実に封止することができる。従って、本実施形態の逆錐状容器２０は、ケーキ１００を持ち運びつつ食するのに最適である。なお、本実施形態では、逆錐状容器２０を三角錐状とした例を示したが、本発明はこれに限定されるものではなく、円錐状、四角錐状等、他の錐状としても良い。
【００４０】
本実施形態の逆錐状容器２０は、通気性及び透湿性を有する紙等の素材によって形成されている。そのため、ケーキ１００の生地を容器部２２に入れて焼成する際に発生する水分や空気が逆錐状容器２０の外側に逃がすことができる。従って、逆錐状容器２０によれば、ケーキ１００を上手く焼き上げることが可能となる。
【００４１】
本実施形態の多重容器１０は、逆錐状容器２０と相似形に形成された容器部５２の内側に、逆錐状容器２０を逆錐状に並べて収容することが可能であるため、多数のケーキ１００をまとめて一度に持ち運ぶことができる。また、外観をなす容器部５２と、内部に収容される逆錐状容器２０とが相似形であるため、形状の統一感があり、意匠性の面においても優れている。
【００４２】
本実施形態の多重容器１０は、保冷剤を収容可能な保冷剤収容容器４０が、容器部５２内において逆錐状容器２０を逆錐状に並べることにより形成される隙間に沿う形状に形成されている。そのため、容器部５２内に収容された逆錐状容器２０同士の隙間を保冷剤収容容器４０によって埋めて安定性を向上させると共に、逆錐状容器２０に形成されたケーキ１００を保冷剤によって保冷することが可能となる。これにより、運搬に伴って逆錐状容器２０が傾く等するのを防止しつつ、ケーキ１００の品質保持を図ることが可能となる。
【００４３】
本実施形態のケーキ１００は、上述した本実施形態の逆錐状容器２０内に生地を流し込んで焼き上げたものであるため、手に持って片手で食べることが可能である。また、本実施形態のケーキ１００は、逆錐状容器２０に設けられた折曲片３４ａ，３４ｂを内側に折り曲げて係合させて蓋部２４を封止することにより、容器部２２内に形成されたケーキ１００を保護しつつ、持ち運ぶことが可能となる。
【００４４】
以上、本考案の代表的な実施形態について説明したが、それぞれ本考案の技術的思想の範囲内で種々の設計変更が可能である。
【符号の説明】
【００４５】
１０            多重容器
２０            逆錐状容器
２２            容器部
２４            蓋部
３２            貼合部
３４ａ〜３４ｃ  折曲片
３６ａ，３６ｂ  切込部
４０            保冷剤収容容器
５２            外装容器
１００            ケーキ
【図１】
0003180592.tif 000003
【図２】
0003180592.tif 000004
【図３】
0003180592.tif 000005
【図４】
0003180592.tif 000006
【図５】
0003180592.tif 000007